(57)【特許請求の範囲】
【請求項１】
箱状体を成すベース部と、
前記ベース部に対してスライド可能に設けられた、箱状体を成す少なくとも一以上の引き出し部と、を備え、
前記引き出し部を引き出すことにより、媒体を支持する媒体支持部及び当該媒体支持部の両側方及び上方を覆うカバー構造が展開される構成を備え、
前記引き出し部が前記ベース部の内側に収容され、また前記引き出し部が複数設けられた場合には自由端側の前記引き出し部が基端側の前記引き出し部の内側に収容される構成を備え、
前記ベース部と前記引き出し部との間、或いはこれに加えて自由端側の前記引き出し部と基端側の前記引き出し部との間において前記媒体支持部に形成される段差部の低位置側に、前記媒体支持部の展開状態では前記段差部の段差を埋める様に前記媒体支持部上から突出し、収納状態では自由端側の前記引き出し部によって前記媒体支持部側に押し込まれる板ばねが設けられている、
ことを特徴とする媒体支持トレイ。
【請求項２】
請求項１に記載の媒体支持トレイにおいて、前記引き出し部が複数設けられ、
複数の前記段差部のそれぞれに設けられた前記板ばねのばね力が異なることにより、複数の前記引き出し部の引き出し順に規則性が付与されている、
ことを特徴とする媒体支持トレイ。
【請求項３】
請求項１または２に記載の媒体支持トレイにおいて、最も自由端側に位置する前記引き出し部の内側において自由端側の壁面が傾斜状を成している、
ことを特徴とする媒体支持トレイ。
【請求項４】
請求項１から３のいずれか１項に記載の媒体支持トレイにおいて、最も自由端側に位置する前記引き出し部に形成された媒体取り出し用の開口部が、開閉可能な或いは着脱可能なカバーにより覆われる、
ことを特徴とする媒体支持トレイ。
【請求項５】
媒体に記録を行う記録手段と、
前記記録手段によって記録の行われた媒体を装置外部に排出する排出手段と、
前記排出手段から排出された媒体を支持する、請求項１から４のいずれか１項に記載の前記媒体支持トレイと、
を備えた記録装置。
【発明の詳細な説明】
【技術分野】
【０００１】
本発明は、引き出し式に構成された、媒体を支持する媒体支持トレイに関する。また本発明は、前記媒体支持トレイを備えた、ファクシミリやプリンター等に代表される記録装置に関する。
【背景技術】
【０００２】
記録装置の一例としてのプリンターには、記録が実行されて排出される媒体（例えば、記録用紙）を支持する媒体支持トレイ（排紙受けトレイ或いは排紙スタッカーなどと呼ばれることもあり、以下では「排紙トレイ」と言うこととする。）が設けられ、当該排紙トレイに、記録の行われた記録用紙が順次積重される様に構成されている。
【０００３】
排紙トレイは、多くの場合、非使用時には占有スペースを小さく、一方で使用時には記録用紙の大きさに合わせて広い支持部を展開可能な様に、多段式に引き出し可能に構成されている（例えば、特許文献１参照）。
【先行技術文献】
【特許文献】
【０００４】
【特許文献１】特開２００６−００１７０５号公報
【発明の概要】
【発明が解決しようとする課題】
【０００５】
ところで、プリンターにおいてはモーターによって駆動される駆動機構から振動が発生するが、この振動が、排出される記録用紙に伝わり、この記録用紙が媒介となって耳障りな騒音が発生する場合があった。また別の課題として、排紙トレイ上に支持された記録用紙が、風などの外部要因によりトレイ上から落下してしまう虞もあった。
【０００６】
そこで本発明はこの様な状況に鑑みなされたものであり、その目的は、排出される記録用紙を媒介とした耳障り騒音を抑えるとともに、排紙トレイ上に支持された記録用紙が外部要因によって落下してしまうことを防止することにある。
【課題を解決するための手段】
【０００７】
上記課題を解決する為の、本発明の第１の態様に係る媒体支持トレイは、箱状体を成すベース部と、前記ベース部に対してスライド可能に設けられた、箱状体を成す少なくとも一以上の引き出し部と、を備え、前記引き出し部を引き出すことにより、媒体を支持する媒体支持部及び当該媒体支持部の両側方及び上方を覆うカバー構造が展開される構成を備え、前記引き出し部が前記ベース部の内側に収容され、また前記引き出し部が複数設けられた場合には自由端側の前記引き出し部が基端側の前記引き出し部の内側に収容される構成を備え、前記ベース部と前記引き出し部との間、或いはこれに加えて自由端側の前記引き出し部と基端側の前記引き出し部との間において前記媒体支持部に形成される段差部の低位置側に、前記媒体支持部の展開状態では前記段差部の段差を埋める様に前記媒体支持部上から突出し、収納状態では自由端側の前記引き出し部によって前記媒体支持部側に押し込まれる板ばねが設けられていることを特徴とする。
【０００８】
本態様によれば、媒体支持トレイは、箱状体を成すベース部と、前記ベース部に対してスライド可能に設けられた、箱状体を成す少なくとも一以上の引き出し部と、を備え、前記引き出し部を引き出すことにより、媒体を支持する媒体支持部及び当該媒体支持部の両側方及び上方を覆うカバー構造が展開される構成を備えるので、媒体支持部に支持された媒体は前記カバー構造によって覆われる様な状態となり、遮音効果が発現する。
【０００９】
従ってこれにより、排出される媒体を媒介とする耳障り騒音を抑えることができるとともに、トレイ上に支持された媒体が風などの外部要因によって落下してしまうことを防止でき、また媒体に塵埃が付着することも防止できる。加えて、排出された媒体にどの様な記録が行われているか、一見して判り難くなる為、機密性の向上にも資することとなる。
【００１０】
また、複数の箱状体を引き出す構造においては、基端側から自由端側に向かって媒体先端が進む際に、当該媒体の先端が引っ掛かる様な段差が形成される場合がある。
【００１１】
しかしながら、本態様によれば、前記段差部に板ばねが設けられ、使用時（展開時）にはこの板ばねによって媒体先端が前記段差を乗り越える様に案内されるので、前記段差部に媒体先端が引っ掛かることを防止でき、円滑な媒体の排出を行うことができる。また、前記板ばねは変形できるので、収納時に邪魔になることもない。
【００１２】
本発明の第２の態様は、第１の態様において、前記引き出し部が複数設けられ、複数の前記段差部のそれぞれに設けられた前記板ばねのばね力が異なることにより、複数の前記引き出し部の引き出し順に規則性が付与されていることを特徴とする。
【００１３】
本態様によれば、前記板ばねのばね力が異なることにより、複数の前記引き出し部の引き出し順に規則性が付与されているので、複数の前記引き出し部の引き出し順に規則性を付与する構成を、構造簡単にして低コストに得ることができる。
【００１４】
本発明の第３の態様は、第１または第２の態様において、最も自由端側に位置する前記引き出し部の内側において自由端側の壁面が傾斜状を成していることを特徴とする。
【００１５】
本態様によれば、最も自由端側に位置する前記引き出し部の内側において自由端側の壁面が傾斜状を成しているので、媒体を取り出す際に当該媒体の先端が自由端側の壁面に引っ掛からず、円滑に取り出すことができる。また、媒体支持部の長さに対して排出される媒体の長さが長い場合であっても、媒体支持トレイ内でジャムとなることなく、トレイ外部に排出されるといった作用効果も奏する。
【００１６】
本発明の第４の態様は、第１から第３の態様のいずれかにおいて、最も自由端側に位置する前記引き出し部に形成された媒体取り出し用の開口部が、開閉可能な或いは着脱可能なカバーにより覆われることを特徴とする。
【００１７】
本態様によれば、最も自由端側に位置する前記引き出し部に形成された媒体取り出し用の開口部が、開閉可能な或いは着脱可能なカバーにより覆われるので、排出される媒体を媒介とする耳障りな騒音をより一層抑えることができる。
本発明の第５の態様は、媒体に記録を行う記録手段と、前記記録手段によって記録の行われた媒体を装置外部に排出する排出手段と、前記排出手段から排出された媒体を支持する、第１から第４の態様のいずれかに係る前記媒体支持トレイと、を備えたことを特徴とする。
本態様によれば、記録装置において、上記第１から第４の態様のいずれかと同様な作用効果を得ることができる。
【００１８】
本発明の第６の態様は、第１の態様において、前記ベース部が前記引き出し部の内側に収容され、また前記引き出し部が複数設けられた場合には基端側の前記引き出し部が自由端側の前記引き出し部の内側に収容される構成を備えることを特徴とする。
【００１９】
本態様によれば、前記ベース部が前記引き出し部の内側に収容され、また前記引き出し部が複数設けられた場合には基端側の前記引き出し部が自由端側の前記引き出し部の内側に収容される構成を備えるので、基端側から自由端側に向かって媒体先端が進む際に当該媒体先端が引っ掛かる様な段差が形成されることがなく、媒体を円滑に排出することができる。
【００２０】
本発明の第７の態様は、媒体に記録を行う記録手段と、前記記録手段によって記録の行われた媒体を装置外部に排出する排出手段と、前記排出手段から排出された媒体を支持する、第１から第６の態様のいずれかに係る前記媒体支持トレイと、を備えたことを特徴とする。本態様によれば、記録装置において、上記第１から第６の態様のいずれかと同様な作用効果を得ることができる。
【図面の簡単な説明】
【００２１】
【図１】本発明の一実施形態に係るプリンターの用紙搬送経路を示す側断面図。
【図２】本発明の第１実施形態に係る用紙支持トレイの展開状態における斜視図。
【図３】（Ａ）は本発明の第１実施形態に係る用紙支持トレイの収納状態における側断面図、（Ｂ）は同用紙支持トレイの展開状態における側断面図。
【図４】（Ａ）、（Ｂ）は本発明の第１実施形態に係る用紙支持トレイの部分拡大側断面図。
【図５】本発明の第２実施形態に係る用紙支持トレイの側断面図。
【図６】本発明の第３実施形態に係る用紙支持トレイの側断面図。
【図７】本発明の第４実施形態に係る用紙支持トレイの側断面図。
【発明を実施するための形態】
【００２２】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２３】
図１は本発明に係る記録装置の一実施形態であるインクジェットプリンター１の側断面概略図、図２は、本発明に係る媒体支持トレイの第１実施形態である用紙支持トレイ３５Ａの展開状態における斜視図、図３（Ａ）は用紙支持トレイ３５Ａの収納状態における側断面図、図３（Ｂ）は用紙支持トレイ３５Ａの展開状態における側断面図、図４（Ａ）、（Ｂ）は用紙支持トレイ３５Ａの部分拡大側断面図である。更に、図５〜図７は、それぞれ第２〜第４実施形態に係る用紙支持トレイの側断面図である。尚、図１では図の煩雑化を避ける為、断面部分へのハッチングは基本的に省略している（用紙支持トレイ３５Ａ部分のみ施している）。
【００２４】
以下では先ず、インクジェットプリンター１の全体構成を概説する。図１において符号２は媒体の一例としての記録用紙にインクジェット記録を行う記録部を、符号３は記録部２の上部に設けられるスキャナ部を、符号４はスキャナ部３の上部に設けられる自動原稿搬送部を、それぞれ示しており、即ちインクジェットプリンター１はインクジェット記録機能に加えてスキャナ機能を備える複合機として構成されている。
【００２５】
記録部２は２つの用紙給送経路を備えており、１つは装置下部に設けられた第２用紙給送部１３からの用紙給送経路であり、他の１つは装置背面側に設けられた第１用紙給送部１２からの用紙給送経路である。尚、破線Ｐ１は第２用紙給送部１３から送り出される記録用紙の通過軌跡を示し、破線Ｐ２は第１用紙給送部１２から送り出される用紙の通過軌跡を示している。
【００２６】
第２用紙給送部１３において、符号５は用紙を収容する用紙カセットを示しており、この用紙カセット５と対向する位置には、回転軸１７ａを中心に揺動可能なローラー支持部材１７に軸支された、用紙給送手段を構成する給送ローラー１８が設けられている。
【００２７】
この給送ローラー１８は、ローラー支持部材１７の揺動動作により用紙カセット５に対して進退可能に設けられ、用紙カセット５に収容された記録用紙Ｐの最上位のものと接して回転することで、当該最上位の記録用紙Ｐを下流側に送り出す。
【００２８】
給送ローラー１８によって送り出された記録用紙Ｐは、大径の反転ローラー２０によって湾曲反転させられた後、搬送手段としての搬送駆動ローラー２４及び搬送従動ローラー２５に到達する。尚、符号２１は反転ローラー２０との間で用紙をニップすることにより用紙の分離を行う分離ローラーを示している。
【００２９】
一方、記録部２の上部後方に設けられた第１用紙給送部１２において、支持部材１４は記録用紙を傾斜姿勢に支持するとともに、上部の図示しない揺動軸を中心に揺動することで、支持している用紙の最上位のものを給送ローラー１５に圧接させる。給送ローラー１５は、回転することにより、圧接している用紙を下流側へ送り出す。尚、符号１６は給送ローラー１５との間で用紙をニップすることにより用紙の分離を行う分離ローラーを示している。
【００３０】
搬送駆動ローラー２４及び搬送従動ローラー２５は、下流側へと記録用紙Ｐを精密送りするローラー対であり、このローラー対の下流側にはインクジェット式の記録ヘッド２８と、用紙を下流側へ案内する支持部材２６とが対向配置されている。
【００３１】
記録ヘッド２８は、用紙搬送方向と直交する方向（図１の紙面表裏方向：以下では適宜「主走査方向」と言うこととする）に往復動可能なキャリッジ２７の底部に設けられ、主走査方向に移動しながら記録用紙Ｐに対してインクを吐出することにより記録を行う。
【００３２】
記録ヘッド２８の下流側において、符号３０は記録用紙Ｐの浮きを防止する従動ローラーであり、符号３１は回転することにより記録用紙Ｐを排出する排出駆動ローラーであり、符号３２は排出駆動ローラー３１との間で記録用紙Ｐをニップする排出従動ローラーである。これらローラー対により、記録の行われた記録用紙Ｐは、用紙支持トレイ３５Ａに向けて排出される。
【００３３】
尚、インクジェットプリンター１は、おもて面（第１面）に記録の行われた記録用紙Ｐを用紙支持トレイ３５Ａに向けて排出せずに、バックフィードして反転ローラー２０により湾曲反転させることで、うら面（第２面）への記録が可能となっている。
【００３４】
以上がインクジェットプリンター１の大略構成であり、以下、用紙支持トレイ３５Ａについて説明する。用紙支持トレイ３５Ａは、排出駆動ローラー３１及び排出従動ローラー３２で構成される用紙排出手段の下流直近に設けられ、記録が行われて排出される記録用紙Ｐを支持する。
【００３５】
この用紙支持トレイ３５Ａは、図２及び図３に示す様に箱状体を成すベース部３６Ａと、ベース部３６Ａに対してスライド可能に設けられた、箱状体を成す２つの引き出し部３７Ａ、３８Ａ、のこれらを備えている。そして引き出し部３７Ａ、３８Ａ、のこれらを装置手前側（図１、図３において左側）に引き出すことにより、排出された記録用紙を支持する用紙支持部（用紙支持面）Ｓ１〜Ｓ３が展開され、また当該用紙支持部Ｓ１〜Ｓ３の側方及び上方を覆うカバー構造（図２において符号Ｃで示す）が展開される様になっている。
【００３６】
より詳しくは、展開状態において用紙支持トレイ３５Ａの最も基端側（図３（Ｂ）において右側）を構成するベース部３６Ａの内側に、展開状態において用紙支持トレイ３５Ａの中間部を構成する第１引き出し部３７Ａが収納可能となっている。またこの第１引き出し部３７Ａの内側に、展開状態において用紙支持トレイ３５Ａの最も自由側（図３（Ｂ）において左側）を構成する第２引き出し部３８Ａが収納可能となっている（図３（Ａ））。
【００３７】
ベース部３６Ａの用紙支持部Ｓ１において自由端側には板ばね３９Ａが設けられている。この板ばね３９Ａは、展開状態では図４（Ｂ）に示す様に用紙支持部Ｓ１から上方に突出し、収納状態（或いは収納状態と展開状態との間）では図４（Ａ）に示す様に自由端側の第１引き出し部３７Ａによって用紙支持部Ｓ１側に押し込まれる様になっている。
【００３８】
同様に、第１引き出し部３７Ａの用紙支持部Ｓ２において自由端側には板ばね３９Ｂが設けられており、この板ばね３９Ｂは展開状態では用紙支持部Ｓ２から上方に突出し、収納状態では自由端側の第２引き出し部３８Ａによって用紙支持部Ｓ２側に押し込まれる様になっている。そしてこれら板ばね３９Ａ、３９Ｂによって、各引き出し部が、引き出し状態を保持できる様になっている。尚、板ばね３９Ａ、３９Ｂは、図示は省略するが用紙幅方向（図３、図４において紙面表裏方向）に適宜の間隔を空けて複数設けられている。
【００３９】
また、ベース部３６Ａには、第１引き出し部３７Ａの引き出し限度を規定する（脱落を防止する）ストッパが設けられている（図示省略）。第１引き出し部３７Ａにも同様に、第２引き出し部３８Ａの引き出し限度を規定する（脱落を防止する）ストッパが設けられている（図示省略）。更に、本実施形態では収納状態において、図３（Ａ）に示す様に第２引き出し部３８Ａの先端が僅かに突出する様になっており、ユーザーは当該第２引き出し部３８Ａの先端を摘んで手前側に引き出せる様になっている。
【００４０】
ここで、本実施形態では自由端側の構成要素が基端側の構成要素の内側に収容される構成であるので、展開状態においてはベース部３６Ａと第１引き出し部３７Ａとの間の用紙支持部、即ち用紙支持部Ｓ１と用紙支持部Ｓ２との間には、用紙先端が引っ掛かる段差部（図４（Ｂ）において符号Ｅで示す）符号が形成される。同様に、第１引き出し部３７Ａと第２引き出し部３８Ａとの間、即ち用紙支持部Ｓ２と用紙支持部Ｓ３との間に、用紙先端が引っ掛かる段差部が形成される。
【００４１】
しかしながらこの段差部の低位置側には、上述した様に板ばね３９Ａ、３９Ｂが設けられており、これら板ばね３９Ａ、３９Ｂが上記段差部を埋めるようになっている。従って用紙排出時には、排出される用紙の先端が、板ばね３９Ａ、３９Ｂを乗り越えて前記段差部を通過することとなり、これにより用紙先端の引っ掛かりを招くことなく円滑に用紙排出を行うことができる様になっている。
【００４２】
そして、上述した様に用紙支持トレイ３５Ａは、箱状体を成すベース部３６Ａと、ベース部３６Ａに対してスライド可能に設けられた、箱状体を成す第１引き出し部３７Ａ及び第２引き出し部３８Ａ、のこれらを備え、第１引き出し部３７Ａ、第２引き出し部３８Ａ、のこれらを装置手前側に引き出すことにより、排出される記録用紙を支持する用紙支持部Ｓ１〜Ｓ３が展開され、また当該用紙支持部Ｓ１〜Ｓ３の側方及び上方を覆うカバー構造Ｃが展開される。
【００４３】
従ってこれにより、排出された用紙を媒介とする耳障り騒音を抑えることができるとともに、トレイ上に支持された用紙が風などの外部要因によって落下してしまうことを防止することができ、また用紙に塵埃が付着することも防止できる。加えて、排出された用紙にどの様な記録が行われているか、一見して判り難くなる為、機密性の向上にも資することとなる。
【００４４】
尚、最も自由端の第２引き出し部３８Ａの自由端側には開口部Ｄが形成されており（図２、図３（Ｂ））、この開口部Ｄから、排出された用紙を取り出すことができる様になっている。
【００４５】
また、用紙支持トレイ３５Ａにおいて、板ばね３９Ａ、３９Ｂのばね力を異ならせることにより、第１引き出し部３７Ａ、第２引き出し部３８Ａ、のこれらの引き出し順に規則性を付与することができる。例えば、板ばね３９Ａのばね力を板ばね３９Ｂのばね力より小さく設定すれば、最も自由端側の第２引き出し部３８Ａを摘んで引き出した際に、第１引き出し部３７Ａが先に、確実に引き出される。これにより、寸法上強度的に最も弱い第２引き出し部３８Ａのみが引き出されたままの状態となることを防止できる。尚、排出される用紙サイズが短い場合には、第１引き出し部３７Ａを引き出し、第２引き出し部３８Ａが収納されたままの状態としても良い。
【００４６】
尚、ばね力の調整は、板ばね３９Ａ、３９Ｂそれ自体のばね力を調整するほか（例えば、板厚や材料を変更する）、用紙幅方向に複数設けられた板ばね３９Ａ、３９Ｂのこれらの配置数を変えることによっても調整することができる。
【００４７】
次に、図５を参照しながら用紙支持トレイの第２実施形態について説明する。本実施形態に係る用紙支持トレイ３５Ｂは、上記第１実施形態とは異なり、先端の開口部Ｄを閉塞するカバー４０を備えている。尚、符号３８Ｂはカバー４０を備えた第２引き出し部を示しており、他の構成について既に説明した第１実施形態と同一構成には同一符号を付してある。
【００４８】
このカバー４０は、回動軸４０ａを中心に回動可能に設けられており、そしてこのカバー４０によって用紙の非取り出し時には開口部Ｄが閉塞されるので、用紙が排出される際に生じる騒音をより確実に小さくすることができる。尚、カバー４０は回動軸４０ａを中心に回動可能に設けられているが、これに限られず、例えば着脱可能に設けても良い。また、カバー４０や、或いはこれに加えて用紙支持トレイ３５Ｂの特に上面全体或いは上面の少なくとも一部を透明部材で形成すれば、内部を容易に視認でき、ユーザーフレンドリとなる。
【００４９】
次に、図６は用紙支持トレイの第３実施形態を示しており、当該第３実施形態に係る用紙支持トレイ３５Ｃは、第２引き出し部３８Ｃの内側において自由端側の壁面が傾斜状を成している（符号Ｓで示す傾斜面）。この様な傾斜面Ｓを備えることで、用紙支持トレイ３５Ｃ内の用紙を取り出す際に、用紙先端がトレイ内部の自由端側の壁面に引っ掛からず、容易に取り出すことができる。また、用紙支持部の長さに対して排出される用紙長が長い場合であっても、用紙支持トレイ３５Ｃ内で紙ジャムとなることなく、トレイ外部に排出されるといった作用効果も奏する。
【００５０】
続いて図７は用紙支持トレイの第４実施形態を示しており、当該第４実施形態に係る用紙支持トレイ３５Ｄは、ベース部３６Ｄが第１引き出し部３７Ｄの内側に収容され、また基端側の第１引き出し部３７Ｄが自由端側の第２引き出し部３８Ｄの内側に収容される構成を備えている。
【００５１】
これにより、基端側から自由端側に向かって用紙先端が進む際に上記第１〜第３実施形態で示した様な用紙先端が引っ掛かる段差が形成されることがなく、用紙を円滑に排出することができる。
【００５２】
以上説明した実施形態は一例であり、更に種々の実施形態を採ることができる。例えば、用紙の取り出し性を向上させる為に、用紙支持部Ｓ１〜Ｓ３を自由端側に向かって下がる傾斜面とすることも好適である。これにより、特に用紙サイズが小さい場合には容易にこれを取り出すことができる。
【００５３】
或いは、用紙支持トレイ全体を揺動可能に構成するとともに、当該用紙支持トレイの姿勢を切り換える駆動手段を設けることも好適である。これにより、例えば非記録実行時及び記録ジョブ実行中は用紙支持部Ｓ１〜Ｓ３を水平としつつ、記録ジョブ終了後に用紙支持部Ｓ１〜Ｓ３が自由端側に向かって下がる様な傾斜面とすることができ、これにより記録実行中に排出された用紙が用紙支持トレイ先端の開口部から落ちてしまうことを防止しつつ、記録終了後には用紙を容易に取り出すことができる。
【００５４】
また、排出された用紙の取り出し性をより一層向上させる為に、ベース部、第１引き出し部、第２引き出し部、のこれらの全ての上部天板或いは少なくとも１つの上部天板を取り外し可能に構成することも好適である。
【００５５】
尚、上述した各実施形態では、ベース部と、２つの引き出し部とにより用紙支持トレイを構成したが、引き出し部は１つであっても良いし、或いは３つ以上であっても良い。また、上述した各実施形態は本発明に係る媒体支持トレイを記録装置に適用した例を説明したが、これに限られずその他の装置に適用可能であることは言うまでもない。
【符号の説明】
【００５６】
１  インクジェットプリンター、２  記録部、３  スキャナ部、４  自動原稿搬送部、５  用紙カセット、６  摩擦パッド、７  分離部、８  揺動部材、８ａ  揺動軸、１２  第１用紙給送部、１３  第２用紙給送部、１４  支持部材、１５  給送ローラー、１６  分離ローラー、１７  ローラー支持部材、１７ａ  回転軸、１８  給送ローラー、２０  反転ローラー、２１  分離ローラー、２４  搬送駆動ローラー、２５  搬送従動ローラー、２６  支持部材、２７  キャリッジ、２８  インクジェット記録ヘッド、３０  従動ローラー、３１  排出駆動ローラー、３２  排出従動ローラー、３５Ａ〜３５Ｄ  用紙支持トレイ、３６Ａ、３６Ｄ  ベース部、３７Ａ、３７Ｄ  第１引き出し部、３８Ａ、３８Ｂ、３８Ｃ、３８Ｄ  第２引き出し部、Ｐ、Ｐ１、Ｐ２  記録用紙
【図１】
0005768546.tif 000002
【図２】
0005768546.tif 000003
【図３】
0005768546.tif 000004
【図４】
0005768546.tif 000005
【図５】
0005768546.tif 000006
【図６】
0005768546.tif 000007
【図７】
0005768546.tif 000008